(57)【要約】    【課題】      自移動機宛のＨＳ−ＳＣＣＨの検出結果の信頼度を向上させて、誤検出率を低減させることができる受信装置及び受信方法を提供すること。    【解決手段】  受信した複数のＨＳ−ＳＣＣＨの１ｓｔ ｐａｒｔを個別にビタビ復号するビダビ復号結果からＨＳ−ＰＤＳＣＨの変調方式を判定すると共に、ＨＳ−ＳＣＣＨを受信した際の伝播路状態を示す値を算出し、判定したＨＳ−ＰＤＳＣＨ変調方式と伝播路状態とを比較し、変調方式が１６ＱＡＭを示しているが伝播路状態が悪い場合、ＨＳ−ＳＣＣＨ １ｓｔ ｐａｒｔの復号結果を破棄し、続けて行うもしくは途中まで処理を行っていたＨＳ−ＳＣＣＨの２ｎｄ ｐａｒｔの復号処理とＨＳ−ＰＤＳＣＨの復号処理を停止する。  【選択図】      図３
2006121346.tif 000002
【特許請求の範囲】
【請求項１】
受信した複数のＨＳ−ＳＣＣＨの１ｓｔ ｐａｒｔを個別にビタビ復号するビタビ復号手段と、
ビタビ復号結果からＨＳ−ＰＤＳＣＨの変調方式を判定するＨＳ−ＰＤＳＣＨ変調方式判定手段と、
前記ＨＳ−ＳＣＣＨを受信した際の伝播路状態を示す値を算出する伝播路状態判定手段と、
前記ＨＳ−ＰＤＳＣＨ変調方式判定手段で判定されたＨＳ−ＰＤＳＣＨ変調方式と前記伝播路状態判定手段で判定された伝播路状態とを比較し、変調方式が１６ＱＡＭを示しているが伝播路状態が悪い場合、ＨＳ−ＳＣＣＨ １ｓｔ ｐａｒｔの復号結果を破棄する変調方式・伝播路状態比較手段と、
を具備することを特徴とする受信装置。
【請求項２】
前記伝播路状態判定手段によって判定された伝播路状態を任意の時間分保持する伝播路状態保持手段を具備し、
前記変調方式・伝播路状態比較手段は、ＨＳ−ＰＤＳＣＨの変調方式と前記伝播路状態保持手段で保持された任意時間前の伝播路状態とを比較することを特徴とする請求項１に記載の受信装置。
【請求項３】
ＨＳ−ＰＤＳＣＨのコード数及びコード番号を判定するＨＳ−ＰＤＳＣＨコード数及びコード番号判定手段と、
前記ＨＳ−ＰＤＳＣＨコード数及びコード番号判定手段で求められたＨＳ−ＰＤＳＣＨのコード番号とコード数を加算して、その結果がＨＳ−ＰＤＳＣＨの最大コード数を超えていないかを判定し、最大コード数を超えている場合はＨＳ−ＳＣＣＨ １ｓｔ ｐａｒｔの復号結果を破棄するコード数及びコード番号比較手段と、
を具備することを特徴とする請求項１又は請求項２に記載の受信装置。
【請求項４】
ＨＳ−ＰＤＳＣＨのコード数及びコード番号を判定するＨＳ−ＰＤＳＣＨコード数及びコード番号判定手段と、
前記ＨＳ−ＰＤＳＣＨコード数及びコード番号判定手段で求められたコード番号と、自局宛として受信した他のチャネルに用いられているコード番号に直交性が保たれているかどうかを判定し、直交性が保たれていない場合はＨＳ−ＳＣＣＨの復号結果を破棄するコード数・コード番号比較手段と、
を具備することを特徴とする請求項１又は請求項２に記載の受信装置。
【請求項５】
請求項１から請求項４のいずれかに記載の受信装置を具備することを特徴とする移動機。
【請求項６】
受信した複数のＨＳ−ＳＣＣＨの１ｓｔ ｐａｒｔを個別にビタビ復号するビタビ復号工程と、
ビタビ復号結果からＨＳ−ＰＤＳＣＨの変調方式を判定するＨＳ−ＰＤＳＣＨ変調方式判定工程と、
前記ＨＳ−ＳＣＣＨを受信した際の伝播路状態を示す値を算出する伝播路状態判定工程と、
前記ＨＳ−ＰＤＳＣＨ変調方式判定工程で判定されたＨＳ−ＰＤＳＣＨ変調方式と前記伝播路状態判定工程で判定された伝播路状態とを比較し、変調方式が１６ＱＡＭを示しているが伝播路状態が悪い場合、ＨＳ−ＳＣＣＨ １ｓｔ ｐａｒｔの復号結果を破棄する変調方式・伝播路状態比較工程と、
を具備することを特徴とする受信方法。
【請求項７】
受信した複数のＨＳ−ＳＣＣＨの１ｓｔ ｐａｒｔを個別にビタビ復号するビタビ復号手順と、
ビタビ復号結果からＨＳ−ＰＤＳＣＨの変調方式を判定するＨＳ−ＰＤＳＣＨ変調方式判定手順と、
前記ＨＳ−ＳＣＣＨを受信した際の伝播路状態を示す値を算出する伝播路状態判定手順と、
前記ＨＳ−ＰＤＳＣＨ変調方式判定手順で判定されたＨＳ−ＰＤＳＣＨ変調方式と前記伝播路状態判定手順で判定された伝播路状態とを比較し、変調方式が１６ＱＡＭを示しているが伝播路状態が悪い場合、ＨＳ−ＳＣＣＨ １ｓｔ ｐａｒｔの復号結果を破棄する変調方式・伝播路状態比較手順と、を含み、
コンピュータに前記各手順を実行させることを特徴とする受信プログラム。
【発明の詳細な説明】
【技術分野】
【０００１】
本発明は、ディジタル移動通信方式の無線装置に用いて好適な受信装置及び受信方法に関する。
【背景技術】
【０００２】
第三世代ディジタル移動通信で採用されたＨＳＤＰＡ（Ｈｉｇｈ Ｓｐｅｅｄ Ｄａｔａ Ｐａｃｋｅｔ Ａｃｃｅｓｓ）方式では、パケットデータを基地局から移動機（無線装置）に送信するためのチャネル（ＨＳ−ＰＤＳＣＨ）の復調及び復号に必要な情報（逆拡散に用いるコード番号やマルチコード数、復調方式、パケットデータの番号など）を、ＨＳ−ＳＣＣＨと呼ばれるチャネルによって送信することになっている。
【０００３】
このＨＳ−ＳＣＣＨは２つの部分に分けられる。１ｓｔ ｐａｒｔ（ファーストパート）と呼ばれる部分は、データの送受信単位の１つである「スロット」１つ分で構成されており、ペアとなっているＨＳ−ＰＤＳＣＨのコード番号、マルチコード数、変調方式の情報に対して畳み込み符号化処理・データ間引き処理などを施したデータを送信する。もう一方の部分を２ｎｄ ｐａｒｔ（セカンドパート）と呼ぶ。２ｎｄ ｐａｒｔは、２つのスロットによって構成されており、ＨＳ−ＰＤＳＣＨに対するデータ長情報などに対して誤り検出符号の付加、畳み込み符号処理、データ間引き処理などを施したデータを送信する。
【０００４】
また、１つの移動機において、このＨＳ−ＳＣＣＨは同時に最大４コード分受信可能と規定されている。この最大で４コードの分のＨＳ−ＳＣＣＨには、自移動機宛のＨＳ−ＳＣＣＨが１つ含まれている場合と、１つも含まれていない場合がある。移動機では、この最大４コード分のＨＳ−ＳＣＣＨの中に自移動機宛のＨＳ−ＳＣＣＨが含まれているかいないかを自律的に判定しなくてはいけない。
【０００５】
自律的な判定方法としては、最大４コード分のＨＳ−ＳＣＣＨ全てに対して復号処理、誤り検出処理を施し、正しい復号結果をもつコードを自移動機宛のＨＳ−ＳＣＣＨとして検出すればよい。
【０００６】
また、データの誤り訂正復号処理を行う際に算出される、復号結果のもつ確からしさを用いて、複数の復号結果の中から一番確からしい復号結果をもつコードを自移動機宛のＨＳ−ＳＣＣＨとして検出すればよい。
【０００７】
復号結果のもつ確からしさを用いて判定を行う方法としては、複数のレートの可能性をもつ受信値に対して、考えうるレート全てに対応する復号処理を行い、各復号結果のもつ尤度を用いて、正しいと考えられるレートを判定する方法が従来技術として存在する。
【特許文献１】特開平１０−１４５２４５号（特許第３２０１９６２号）公報
【発明の開示】
【発明が解決しようとする課題】
【０００８】
しかしながら、従来の受信方法においては、次のような問題がある。
すなわち、自移動機宛ＨＳ−ＳＣＣＨを検出するには、ＨＳ−ＳＣＣＨで誤り検出符号化付加されている２ｎｄ ｐａｒｔを用いるのが確実である。しかし、この方法を用いるためには、最大４コード分のＨＳ−ＳＣＣＨの２ｎｄ ｐａｒｔを復号し終えることが条件となる。この場合、自移動機宛ＨＳ−ＳＣＣＨの検出結果を得るまでに３スロット分の時間がかかり、さらに自移動機宛ではない可能性のある最大４コード分のＨＳ−ＳＣＣＨの復号処理を行う必要になるので、その分の処理にかかる電力が無駄になる。
【０００９】
他方、誤り検出符号の付加されていない１ｓｔ ｐａｒｔのみの復号で自移動機宛ＨＳ−ＳＣＣＨの検出を行う方法として、前出の復号結果のもつ確からしさ（尤度）を用いた方法が考えられる。しかし、この方法のみの適用だと、復号結果そのものの妥当性を加味していないため、尤度による判定のみで自移動機宛ＨＳ−ＳＣＣＨを選択し、その選択結果が間違っていた場合（他移動機宛のＨＳ−ＳＣＣＨを自移動機宛だと判定する場合、最大４コードの中に自移動機宛のＨＳ−ＳＣＣＨが含まれていないにもかかわらず、自移動機宛のＨＳ−ＳＣＣＨを検出してしまった場合など）、その復号結果を用いて復調・復号を行うＨＳ−ＰＤＳＣＨの処理に影響を与えてしまうことになる。
【００１０】
本発明はかかる点に鑑みてなされたものであり、自移動機宛のＨＳ−ＳＣＣＨの検出結果の信頼度を向上させて、誤検出率を低減させることができる受信装置及び受信方法を提供することを目的とする。
【課題を解決するための手段】
【００１１】
本発明の受信装置は、受信した複数のＨＳ−ＳＣＣＨの１ｓｔ ｐａｒｔを個別にビタビ復号するビタビ復号手段と、ビタビ復号結果からＨＳ−ＰＤＳＣＨの変調方式を判定するＨＳ−ＰＤＳＣＨ変調方式判定手段と、前記ＨＳ−ＳＣＣＨを受信した際の伝播路状態を示す値を算出する伝播路状態判定手段と、前記ＨＳ−ＰＤＳＣＨ変調方式判定手段で判定されたＨＳ−ＰＤＳＣＨ変調方式と前記伝播路状態判定手段で判定された伝播路状態とを比較し、変調方式が１６ＱＡＭを示しているが伝播路状態が悪い場合、ＨＳ−ＳＣＣＨ １ｓｔ ｐａｒｔの復号結果を破棄する変調方式・伝播路状態比較手段と、を具備する構成を採る。
【発明の効果】
【００１２】
本発明によれば、自移動機宛ＨＳ−ＳＣＣＨ検出処理に、ＨＳ−ＳＣＣＨの１ｓｔ ｐａｒｔの復号結果自体の妥当性も考慮するようにしたので、ＨＳ−ＳＣＣＨの検出結果の信頼度向上が図れ（つまりＨＳ−ＳＣＣＨの誤検出率（受信したＨＳ−ＳＣＣＨの中に自移動機宛のＨＳ−ＳＣＣＨが含まれている・いないにかかわらず、他移動機宛のＨＳ−ＳＣＣＨを自移動機宛のＨＳ−ＳＣＣＨとして検出する確率）を低減でき）、必要のない復号処理を停止させることで、無駄な電力の消費を防ぐことができる。
【発明を実施するための最良の形態】
【００１３】
以下、本発明の実施の形態について、図面を参照して詳細に説明する。
【００１４】
（実施の形態１）
図１は、本発明の実施の形態１に係る受信装置の主要部の構成を示すブロック図である。この図において、この実施の形態の受信装置は、ＨＳＤＰＡ対応の移動機に用いられるものであり、アンテナ１０、ＲＦ部１１、ＨＳ−ＳＣＣＨ／ＨＳ−ＰＤＳＣＨ復調部（以下、復調部という）１２、ＨＳ−ＳＣＣＨ復号部１３、ＨＳ−ＰＤＳＣＨ復号部１４及び復号結果処理部１５を備えている。
【００１５】
復調部１２は、ＨＳ−ＳＣＣＨを受信した際の伝播路状態を示す値を算出する伝播路状態判定部１２１を備えている。ＨＳ−ＳＣＣＨ復号部１３は、復調部１２の復調結果からＨＳ−ＰＤＳＣＨコード番号、マルチコード数を算出し、この算出結果を復調部１２とＨＳ−ＰＤＳＣＨ復号部１４それぞれに入力する。復調部１２とＨＳ−ＰＤＳＣＨ復号部１４は、それぞれＨＳ−ＰＤＳＣＨコード番号、マルチコード数に基づいてＨＳ−ＰＤＳＣＨ復調・復号処理を行う。また、ＨＳ−ＳＣＣＨ復号部１３は、ＨＳ−ＰＤＳＣＨを復号するために必要な他の情報（新規送信か再送データ化を示す値、ＨＳ−ＰＤＳＣＨ復号部１４で行われるレートマッチング処理に必要なパラメータなど）の復号も行う。
【００１６】
図２は、ＨＳ−ＳＣＣＨ復号部１３の詳細な構成を示すブロック図である。この図において、ＨＳ−ＳＣＣＨ復号部１３は、３ｓｌｏｔで構成されるＨＳ−ＳＣＣＨの先頭１ｓｌｏｔ（以下、１ｓｔ ｐａｒｔと呼ぶ）に対して移動機固有の番号による排他的論理輪演算によるｄｅ−ｍａｓｋｉｎｇ処理を行うＵＥ ｓｐｅｃｉｆｉｃ ｄｅ−ｍａｓｋｉｎｇ部１３１と、送信側でデータ間引き処理をされたデータ列に対して間引き位置に「０」などの数値を埋め込む処理を行う１ｓｔ ｐａｒｔ用Ｒａｔｅ ｄｅ−ｍａｔｃｈｉｎｇ部１３２と、Ｖｉｔｅｒｂｉアルゴリズムによって誤り訂正処理を行うＶｉｔｅｒｂｉ復号部１３３と、自局宛のＨＳ−ＳＣＣＨを検出する第一次自局宛ＨＳ−ＳＣＣＨ検出部１３４と、自局宛ＨＳ−ＳＣＣＨが検出された場合にＶｉｔｅｒｂｉ復号後のデータ列を「ＨＳ−ＰＤＳＣＨコード番号及びコード数」を示す部分と「ＨＳ−ＰＤＳＣＨ変調方式」を示す部分に分割するＤｅ−Ｍｕｌｔｉｐｌｅｘ部１３５と、Ｄｅ−Ｍｕｌｔｉｐｌｅｘ部１３５で分割されたデータから「ＨＳ−ＰＤＳＣＨコード番号及びコード数」を判定するＨＳ−ＰＤＳＣＨコード数及びコード番号判定部１３６と、Ｄｅ−Ｍｕｌｔｉｐｌｅｘ部１３５で分割されたデータから「ＨＳ−ＰＤＳＣＨ変調方式」を判定するＨＳ−ＰＤＳＣＨ変調方式判定部１３７と、復調部１２で求められた伝播路状態情報とＨＳ−ＰＤＳＣＨ変調方式判定部１３７で判定された変調方式とを比較する変調方式・伝搬路状態比較部１３８と、２ｎｄ ｐａｒｔ用Ｒａｔｅ ｄｅ−ｍａｔｃｈｉｎｇ部１３９と、Ｖｉｔｅｒｂｉ復号部１４０と、ＵＥ ｓｐｅｃｉｆｉｃ ＣＲＣ判定部１４１と、Ｄｅ−Ｍｕｌｔｉｐｌｅｘ部１４２と、Ｔｒａｎｓｐｏｒｔ ｂｌｏｃｋ ｓｉｚｅ／Ｈ−ＡＲＱ情報／Ｒｅｄｕｎｄａｎｃｙ Ｖｅｒｓｉｏｎ／Ｎｅｗ Ｄａｔａ ｉｎｆｏｒｍａｔｉｏｎ判定部１４３とを備えている。
【００１７】
変調方式・伝搬路状態比較部１３８を備えることで、これの比較結果により、自移動機宛ＨＳ−ＳＣＣＨの一次検出結果をそのまま維持するか破棄するかを決定することが可能となる。
【００１８】
図３は、本実施の形態の受信装置における第一次自局宛ＨＳ−ＳＣＣＨ検出部１３４以降の各部の処理を示すフローチャートである。
【００１９】
本実施の形態の受信装置では、図２に示すＨＳ−ＳＣＣＨのＳｌｏｔ＃０データ（１ｓｔ ｐａｒｔ）の復号処理部分の第一次自局宛ＨＳ−ＳＣＣＨ検出部１３４が、受信されたＨＳ−ＳＣＣＨの中から自局宛ＳＣＣＨを検出する処理を行う（ステップＳ１０）。そして、この自局宛ＳＣＣＨ検出処理で自局宛ＳＣＣＨを検出したかどうか判定する（ステップＳ１１）。この判定において、自局宛ＳＣＣＨを検出した場合、そのときの変調方式が１６ＱＡＭかどうか判定し（ステップＳ１２）、１６ＱＡＭであれば、伝播路状態が所定の閾値以上かどうか判定する（ステップＳ１３）。伝播路状態が所定の閾値以上であれば、自局宛検出結果を、そのまま復調部１２とＨＳ−ＰＤＳＣＨ復号部１４へ送る（ステップＳ１４）。伝播路状態が所定の閾値未満であれば、ＨＳ−ＳＣＣＨ検出結果を破棄し、処理を終える。また、上記ステップＳ１１での判定において、自局宛ＳＣＣＨを検出しなかった場合はその後の処理を一切せずそのまま処理を終える。
【００２０】
すなわち、「自移動機宛のＨＳ−ＳＣＣＨが存在する」と一次判断した場合、その誤り訂正復号結果から、Ｄｅ−Ｍｕｌｔｉｐｌｅｘ部１３５及びＨＳ−ＰＤＳＣＨ変調方式判定部１３７において、ペアとなっているＨＳ−ＰＤＳＣＨの変調方式を示す値を求め、さらに復調部１２で求めた伝播路状態を表す値（信号対ノイズ比など）を取り出す。なお、ＨＳ−ＰＤＳＣＨに適用される変調方式には、ＱＰＳＫと１６ＱＡＭが存在するのだが、この１６ＱＡＭは伝播路状態の悪い状況下ではノイズに弱い性質を持つ。
【００２１】
以上の性質から、ＨＳ−ＳＣＣＨの復号結果から求めたＨＳ−ＰＤＳＣＨの変調方式が「１６ＱＡＭ」を示し、且つ復調部１２において求めた伝播路状態を比較し、伝播路状態がある閾値以上である場合は、「自移動機宛のＨＳ−ＳＣＣＨが存在する」という一次判断結果をそのまま採用し、変調方式やコード番号、コード数などの情報を復調部１２及びＨＳ−ＰＤＳＣＨ復号部１３に伝える。
【００２２】
一方、ＨＳ−ＰＤＳＣＨの変調方式が「１６ＱＡＭ」を示し、かつ、伝播路状態がある一定値以下、つまり伝播路状態が悪いと判定した場合は、伝播路状態が悪いにもかかわらずＨＳ−ＰＤＳＣＨが１６ＱＡＭで送信されたという復号結果はその性質から考えると矛盾する結果であると判断する。つまり、ＨＳ−ＳＣＣＨの復号結果自体の妥当性がないと判断し、「自移動機宛のＨＳ−ＳＣＣＨが存在する」とした一次判断結果を破棄し、続けて行う、もしくは途中まで処理を行っていた、ＨＳ−ＳＣＣＨの２ｎｄ ｐａｒｔの復号処理とＨＳ−ＰＤＳＣＨの復号処理を停止する。
【００２３】
このように、本実施の形態の受信装置によれば、受信した複数のＨＳ−ＳＣＣＨの１ｓｔ ｐａｒｔを個別にビタビ復号するビダビ復号結果からＨＳ−ＰＤＳＣＨの変調方式を判定すると共に、ＨＳ−ＳＣＣＨを受信した際の伝播路状態を示す値を算出し、判定したＨＳ−ＰＤＳＣＨ変調方式と伝播路状態とを比較し、変調方式が１６ＱＡＭを示しているが伝播路状態が悪い場合、ＨＳ−ＳＣＣＨ １ｓｔ ｐａｒｔの復号結果を破棄し、続けて行うもしくは途中まで処理を行っていたＨＳ−ＳＣＣＨの２ｎｄ ｐａｒｔの復号処理とＨＳ−ＰＤＳＣＨの復号処理を停止する。
【００２４】
これにより、ＨＳ−ＳＣＣＨの検出結果の信頼度が向上し、不必要なＨＳ−ＳＣＣＨの２ｎｄ ｐａｒｔ及びＨＳ−ＰＤＳＣＨの復号処理を停止させることから無駄な電力消費を防ぐことが可能となる。
【００２５】
（実施の形態２）
本発明の実施の形態２に係る受信装置は、図４のブロック図に示すように、復調部１２で算出された伝播路状態を表す数値を保持する伝播路状態保持部１６を備えている点で上述した実施の形態１の受信装置と異なっている。
【００２６】
本実施の形態では、伝播路状態保持部１６に過去の伝播路状態を保持させることで、ＨＳ−ＳＣＣＨ復号時と、ペアとなっているＨＳ−ＰＤＳＣＨ送信時の伝播路状態に差がある場合でも、正しい伝播路状態をＨＳ−ＳＣＣＨ復号結果より求めた復調方式と比較することが可能となる。これにより、より精度の高い自移動機宛ＨＳ−ＳＣＣＨの一次検出結果の維持・破棄の判断を行うことができる。
【００２７】
図５は、本実施の形態の受信装置における第一次自局宛ＨＳ−ＳＣＣＨ検出部１３４以降の各部の処理を示すフローチャートである。この場合、ステップＳ２３と上述した図３のステップＳ１３とが異なる以外は同じ処理となっている。
【００２８】
図５において、自移動機宛ＨＳ−ＳＣＣＨを検出し、ＨＳ−ＳＣＣＨの復号結果から変調方式が１６ＱＡＭであると判定した後、伝播路状態保持部１６に保持してある過去のものも含む伝播路状態の中から、指定した時間以前の伝播路状態を取り出し、ＨＳ−ＳＣＣＨ復号結果から求めた変調方式と比較し、ＨＳ−ＳＣＣＨの一次検出結果の保持・破棄を決定する。
【００２９】
このように本実施の形態の受信装置によれば、ＨＳ−ＰＤＳＣＨの送信時の変調方式決定時に利用した伝播路状態判定値と、そのＨＳ−ＰＤＳＣＨとペアとなっているＨＳ−ＳＣＣＨの受信時の伝播路状態に差がある場合でも、過去の伝播路状態との比較を行うことが可能となる。これにより、ＨＳ−ＳＣＣＨの検出結果の信頼度が向上し、不必要なＨＳ−ＳＣＣＨの２ｎｄ ｐａｒｔ及びＨＳ−ＰＤＳＣＨの復号処理を停止させることから無駄な電力消費を防ぐことが可能となる。
【００３０】
（実施の形態３）
本発明の実施の形態３に係る受信装置は、図６のブロック図に示すように、変調方式・伝搬路状態比較部１３８に換えて、ＨＳ−ＳＣＣＨ復号部１３で求めたＨＳ−ＰＤＳＣＨのコード数と逆拡散コード番号とを比較するコード数／コード番号比較部１４４を備えている点で上述した実施の形態１の受信装置と異なっている。
【００３１】
本実施の形態では、コード数／コード番号比較部１４４を備えることで、復号しているＨＳ−ＳＣＣＨとペアとなっているＨＳ−ＰＤＳＣＨのコード数とコード番号の矛盾の有無を検出し、自移動機宛ＨＳ−ＳＣＣＨの一次検出結果の維持・破棄の判断を行う。
【００３２】
図７は、本実施の形態の受信装置における第一次自局宛ＨＳ−ＳＣＣＨ検出部１３４以降の各部の処理を示すフローチャートである。この場合、ステップＳ３２と上述した図３のステップＳ１２及びＳ１３とが異なる以外は同じ処理となっている。
【００３３】
図７において、ＨＳ−ＳＣＣＨの１ｓｔ ｐａｒｔの復号処理で「自移動機宛のＨＳ−ＳＣＣＨが存在する」と一次判断した場合、その誤り訂正復号結果からペアとなっているＨＳ−ＰＤＳＣＨの逆拡散に用いるコード番号（マルチコードの場合は、１コード目に適用される拡散コード番号）及びマルチコード数を示す値を算出する。
【００３４】
ここで、ＨＳ−ＰＤＳＣＨでは、ＨＳ−ＳＣＣＨによって送信されたコード番号から順にマルチコード数分だけのコードを拡散用のコードとして用いる。例えば、算出されたコード番号が「５」で、マルチコード数が「３」の場合、３コード分のＨＳ−ＰＤＳＣＨの拡散に適用されるコード番号は、「５」「６」「７」となる。また、規格上、ＨＳ−ＰＤＳＣＨの最大マルチコード数は、１５であり、拡散に使用できるコード番号は、「１」から「１５」までとなっている。
【００３５】
前記の規定を考慮した場合、ＨＳ−ＳＣＣＨの１ｓｔ ｐａｒｔ復号結果から算出したコード番号及びマルチコード数を加算したとき移動機が１６よりも大きくなることはありえない。
【００３６】
上記の性質を踏まえた場合、ＨＳ−ＳＣＣＨの１ｓｔ ｐａｒｔ復号結果から算出したコード番号及びマルチコード数を加算したとき、１６より大きな値になった場合、ＨＳ−ＳＣＣＨの１ｓｔ ｐａｒｔ復号結果には誤りが含まれていると判断し、「自移動機宛のＨＳ−ＳＣＣＨが存在する」と一次判断した結果を破棄し、続けて行うもしくは途中まで処理を行っていたＨＳ−ＳＣＣＨの２ｎｄ ｐａｒｔの復号処理とＨＳ−ＰＤＳＣＨの復号処理を停止する。
【００３７】
このように、本実施の形態の受信装置によれば、ＨＳ−ＳＣＣＨの検出結果の信頼度が向上し、不必要なＨＳ−ＳＣＣＨの２ｎｄ ｐａｒｔ及びＨＳ−ＰＤＳＣＨの復号処理を停止させることから無駄な電力消費を防ぐことが可能となる。
【００３８】
（実施の形態４）
本発明の実施の形態４に係る受信装置は、図８のブロック図に示すように、他チャネル（ＨＳＤＰＡ用チャネル ＨＳ−ＳＣＣＨ及びＨＳ−ＰＤＳＣＨ以外のチャネル）の復調と復号を行う他チャネル復調／復号部１７を備えるとともに、ＨＳ−ＳＣＣＨ復号部１３で求められたＨＳ−ＰＤＳＣＨの逆拡散コード番号と他チャネルに対する逆拡散コード番号とを比較するコード番号比較部１４５を有するＨＳ−ＳＣＣＨ復号部１３を備えている点で上述した実施の形態１の受信装置と異なっている。
【００３９】
コード番号比較部１４５を備えることにより、復号しているＨＳ−ＳＣＣＨとペアとなっているＨＳ−ＰＤＳＣＨのコード番号と他チャネルのコード番号間に直交性が成立しているかどうかの判断を行うことが可能となり、直交性が保たれていない場合はＨＳ−ＳＣＣＨ復号結果に誤りが含まれていると判断し、自移動機宛ＨＳ−ＳＣＣＨの一次検出結果の維持・破棄の判断を行う。
【００４０】
図９は、本実施の形態の受信装置における第一次自局宛ＨＳ−ＳＣＣＨ検出部１３４以降の各部の処理を示すフローチャートである。この場合、ステップＳ４２と上述した図３のステップＳ１２及びＳ１３とが異なる以外は同じ処理となっている。
【００４１】
本実施の形態では、ＨＳ−ＳＣＣＨの１ｓｔ ｐａｒｔの復号処理部で「自移動機宛のＨＳ−ＳＣＣＨが存在する」と一次判断した場合、その誤り訂正復号結果からペアとなっているＨＳ−ＰＤＳＣＨの逆拡散に用いるコード番号（マルチコードの場合は、１コード目に適用される拡散コード番号）及びマルチコード数を示す値を算出する。
【００４２】
ここで、ＨＳ−ＰＤＳＣＨでは、ＨＳ−ＳＣＣＨによって送信されたコード番号から順にマルチコード数分だけのコードを拡散用のコードとして用いる。例えば、算出されたコード番号が「５」で、マルチコード数が「３」の場合、３コード分のＨＳ−ＰＤＳＣＨの拡散に適用されるコード番号は、「５」「６」「７」となる。
【００４３】
また、ＨＳ−ＰＤＳＣＨと同時に送受信しているチャネルが他にも存在する場合（例えば、ＤＰＣＨやＳＣＣＰＣＨなど）、逆拡散をした際に正しくチャネルの分離が行えるよう、基地局側で拡散処理をする際に用いる各チャネルの拡散コードに直交性を持たせる必要がある。
【００４４】
このことから、ＨＳ−ＳＣＣＨの１ｓｔ ｐａｒｔ復号結果から算出したＨＳ−ＰＤＳＣＨのコード番号（マルチコードの場合は全てのコードのコード番号）と、他チャネルに用いられている拡散用コード番号とを比較し、コード間に直交性が保たれていない場合は、ＨＳ−ＰＤＳＣＨのコード番号が誤っている即ちＨＳ−ＳＣＣＨの１ｓｔ ｐａｒｔの復号結果に誤りが含まれていると判定し、「自移動機宛のＨＳ−ＳＣＣＨが存在する」と一次判断した結果を破棄し、続けて行うもしくは途中まで処理を行っていたＨＳ−ＳＣＣＨの２ｎｄ ｐａｒｔの復号処理とＨＳ−ＰＤＳＣＨの復号処理を停止する。
【００４５】
このように本実施の形態に係る受信装置によれば、ＨＳ−ＳＣＣＨの検出結果の信頼度を向上させ、不必要なＨＳ−ＳＣＣＨの２ｎｄ ｐａｒｔ及びＨＳ−ＰＤＳＣＨの復号処理を停止させ無駄な電力消費を防ぐことが可能となる。
【産業上の利用可能性】
【００４６】
本発明は、ディジタル移動通信方式の無線装置に用いるに好適である。
【図面の簡単な説明】
【００４７】
【図１】本発明の実施の形態１に係る受信装置の主要部の構成を示すブロック図
【図２】実施の形態１に係る受信装置のＨＳ−ＳＣＣＨ復号部の構成を示すブロック図
【図３】実施の形態１に係る受信装置の動作を説明するためのフローチャート
【図４】本発明の実施の形態２に係る受信装置の主要部の構成を示すブロック図
【図５】本実施の形態２に係る受信装置の動作を説明するためのフローチャート
【図６】本発明の実施の形態３に係る受信装置の主要部の構成を示すブロック図
【図７】本実施の形態３に係る受信装置の動作を説明するためのフローチャート
【図８】本発明の実施の形態４に係る受信装置の主要部の構成を示すブロック図
【図９】本実施の形態４に係る受信装置の動作を説明するためのフローチャート
【符号の説明】
【００４８】
１０  アンテナ
１１  ＲＦ部
１２  復調部
１３  ＨＳ−ＳＣＣＨ復号部
１４  ＨＳ−ＰＤＳＣＨ復号部
１５  復号結果処理部
１６  伝播路状態保持部
１７  他チャネル復調／復号部
１２１  伝播路状態判定部
１３１  ＵＥ ｓｐｅｃｉｆｉｃ ｄｅ−ｍａｓｋｉｎｇ部
１３２  １ｓｔ ｐａｒｔ用Ｒａｔｅ ｄｅ−ｍａｔｃｈｉｎｇ部
１３３、１４０  Ｖｉｔｅｒｂｉ復号部
１３４  第一次自局宛ＨＳ−ＳＣＣＨ検出部
１３５  Ｄｅ−Ｍｕｌｔｉｐｌｅｘ部
１３６  ＨＳ−ＰＤＳＣＨコード数及びコード番号判定部
１３７  ＨＳ−ＰＤＳＣＨ変調方式判定部
１３８  変調方式・伝搬路状態比較部
１３９  ２ｎｄ ｐａｒｔ用Ｒａｔｅ ｄｅ−ｍａｔｃｈｉｎｇ部
１４１  ＵＥ ｓｐｅｃｉｆｉｃ ＣＲＣ判定部
１４２  Ｄｅ−Ｍｕｌｔｉｐｌｅｘ部
１４３  Ｔｒａｎｓｐｏｒｔ ｂｌｏｃｋ ｓｉｚｅ／Ｈ−ＡＲＱ情報／Ｒｅｄｕｎｄａｎｃｙ Ｖｅｒｓｉｏｎ／Ｎｅｗ Ｄａｔａ ｉｎｆｏｒｍａｔｉｏｎ判定部
１４４  コード数／コード番号比較部
１４５  コード番号比較部
【図１】
2006121346.tif 000003
【図２】
2006121346.tif 000004
【図３】
2006121346.tif 000005
【図４】
2006121346.tif 000006
【図５】
2006121346.tif 000007
【図６】
2006121346.tif 000008
【図７】
2006121346.tif 000009
【図８】
2006121346.tif 000010
【図９】
2006121346.tif 000011